(57)【特許請求の範囲】
【請求項１】
熱伝導度の低い材料からなるコア材と、該コア材の対向する面を被覆した金属製薄板からなる一対の平板部材およびコア材の側面を被覆した金属製薄板からなる側板部材を有する外装体とを備えた真空断熱パネルにおいて、
前記コア材を、一対の前記平板部材の方向に２個以上に分割し、隣接するコア材の間の少なくとも中心に、前記側板部材の外形より小さく前記平板部材と平行に延びる補強板材を配設し、
前記コア材の表面に通気溝を設けるとともに、前記補強板材に通気孔を設け、かつ、
前記補強板材に前記コア材に差し込んで位置決めする位置決め突起を切り起こしにより設けるとともに、前記通気孔の縁に前記位置決め突起に対して逆向きに突出してコア材に差し込んで位置決めする補強リブを設けたことを特徴とする真空断熱パネル。
【請求項２】
前記外装体の内部に輻射伝熱を防止する金属箔を配設したことを特徴とする請求項１に記載の真空断熱パネル。
【請求項３】
前記外装体は、前記平板部材と側板部材とを枠部材を介して接合したものであることを特徴とする請求項１または請求項２に記載の真空断熱パネル。
【発明の詳細な説明】
【０００１】
【発明の属する技術分野】
本発明は、低温の液化ガスなどを搬送するためのタンクや冷凍庫などに使用される真空断熱パネルに関するものである。
【０００２】
【従来の技術】
一般に、冷凍庫などの壁面には断熱効果を高めるために真空断熱パネルが設けられている。この真空断熱パネルには、内部を真空引きした際に変形しないように、ウレタンフォームなどの多孔質材料からなるコア材が収容されている。
【０００３】
このような真空断熱パネルの外壁は、前記コア材の対向する平面を被覆する一対の金属製薄板からなる平板部材と、前記コア材の外周部を被覆する金属製薄板からなる側板部材とを備えている。そして、その製造時には、一方の平板部材の所定位置に側板部材を位置決めして接合し、その内部にコア材を収容した後、前記コア材を圧縮しながら他方の平板部材を位置決めして接合している。
【０００４】
【発明が解決しようとする課題】
しかしながら、前記真空断熱パネルは、各板部材およびコア材が熱により伸縮する。そして、断熱する低温側の温度と高温側の温度との差が大きければ大きいほど、熱による伸縮で真空断熱パネル自体に反りが生じるという問題がある。
【０００５】
そこで、本発明では、断熱する温度差が大きい場合に適した真空断熱パネルを提供することを課題とする。
【０００６】
【課題を解決するための手段】
前記課題を解決するため、本発明の真空断熱パネルは、熱伝導度の低い材料からなるコア材と、該コア材の対向する面を被覆した金属製薄板からなる一対の平板部材およびコア材の側面を被覆した金属製薄板からなる側板部材を有する外装体とを備えた真空断熱パネルにおいて、前記コア材を、一対の前記平板部材の方向に２個以上に分割し、隣接するコア材の間の少なくとも中心に、前記側板部材の外形より小さく前記平板部材と平行に延びる補強板材を配設し、前記コア材の表面に通気溝を設けるとともに、前記補強板材に通気孔を設け、かつ、前記補強板材に前記コア材に差し込んで位置決めする位置決め突起を切り起こしにより設けるとともに、前記通気孔の縁に前記位置決め突起に対して逆向きに突出してコア材に差し込んで位置決めする補強リブを設けた構成としている。
【０００７】
前記真空断熱パネルによれば、最も温度差が平衡し熱による伸縮が最も生じ難いコア材の中心に、平板部材と平行に延びる補強板材を設けているため、熱が直接的に加わる一対の平板部材に延びの差が生じても、真空断熱パネル自体が反り返るという不都合を防止できる。
【０００８】
また、前記コア材を、一対の前記平板部材の方向に少なくとも２個以上に分割し、隣接するコア材の間に前記補強板材を配設するため、コア材の製造が簡単になり、コストダウンを図ることができる。
【０００９】
また、前記補強板材を、前記側板部材の外形より小さく形成しているため、側板部材を介して補強板材に熱が伝わり、熱伝導を助長することを防止できる。
【００１０】
また、前記コア材の表面に通気溝を設けるとともに、前記補強板材に通気孔を設けているため、組み立てたパネルを真空排気するのに要する時間を短縮できる。
【００１１】
また、補強板材にコア材に差し込んで位置決めする位置決め突起を設けるとともに、通気孔の縁に位置決め突起に対して逆向きに突出する補強リブを設けているため、これらをコア材に差し込んで位置決めできる。その結果、補強板材を確実に側板部材と非接触状態を維持できるうえ、補強板材の撓みも確実に防止できる。
【００１２】
前記真空断熱パネルでは、前記外装体の内部に輻射伝熱を防止する金属箔を配設することが好ましい。このようにすれば、輻射によって伝わる熱量を軽減できるため、より断熱性能を向上できる。
【００１３】
また、前記外装体は、前記平板部材と側板部材とを枠部材を介して接合したものであることが好ましい。このようにすれば、外装体を構成する薄板からなる平板部材および側板部材は、それぞれ枠部材を介して接合されるため、各板部材を位置決めする際には、枠部材に対して押圧しても各板部材に対して撓みを生じさせることはない。そのため、位置決め作業性の向上を図ることができ、高精度の真空断熱パネルを製造できる。
【００１４】
【発明の実施の形態】
以下、本発明の実施の形態を図面に従って説明する。
図１から図３は、本発明の実施形態に係る真空断熱パネルを示す。この真空断熱パネルは、大略、金属製の外装体１と、該外装体１内に収容する複数（本実施形態では４個）のコア材１１Ａ〜１１Ｄ、補強板材１４、金属箔１８、および、ゲッター２０からなる。
【００１５】
前記外装体１は、一対の平板部材２Ａ，２Ｂと、一対の枠部材８Ａ，８Ｂと、側板部材１０とからなる。これらの構成部材は、本実施形態ではステンレス（ＳＵＳ３０４）により形成されている。
【００１６】
前記平板部材２Ａ，２Ｂは、正方形状とした薄板からなり、後述するコア材１１Ａ，１１Ｄの対向する外面を被覆するものである。そのうち、上側に位置する平板部材２Ａには、その中央に排気部３が設けられている。この排気部３は、真空排気時には外方に円錐台形状に突出し、真空排気後には内方に没入される変形部４を有する。この変形部４の中央には貫通した排気孔が設けられ、この排気孔にチップ管５が台座部材６（図１３参照。）を介して接合されている。この台座部材６には、後述する真空排気作業後にゲッター２０を密閉したアルミ箔２１を突き破る先細の破断部７が内側に向けて突設されている。
【００１７】
前記枠部材８Ａ，８Ｂは、前記平板部材２Ａ，２Ｂと同一の外形で、断面正方形状とした肉厚の環状枠からなる。この枠部材８Ａ，８Ｂには、内面の一端から他端に向けて延びる段部９（図２参照。）が全周にかけて設けられている。
【００１８】
前記側板部材１０は、薄板を前記段部９に内嵌する四角筒状としたもので、後述する積層したコア材１１Ａ〜１１Ｄの側面を被覆するものである。この側板部材１０は、例えば、長尺な帯状金属シートを長手方向に若干位相させて張り合わせ、所定位置を折曲げるととともに両端を突き合わせ、その突き合わせ部分を接合することにより形成される。
【００１９】
図２に具体的に示すように、本実施形態の外装体１は、前記平板部材２Ａ，２Ｂの板厚を約０．５ｍｍ、前記枠部材８Ａ，８Ｂの断面正方形状をなす各厚さを約１０ｍｍ、前記側板部材１０の板厚を約０．３ｍｍとしている。即ち、本実施形態では、側板部材１０の板厚を平板部材２Ａ，２Ｂの板厚より薄くしている。これにより、一方の平板部材２Ａ，２Ｂから他方の平板部材２Ｂ，２Ａに伝わる熱の伝導効率の抑制することができる。また、前記段部９の深さは、前記側板部材１０の板厚と同一に設定されている。これにより、枠部材８Ａ，８Ｂの内面と側板部材１０の内面とが面一に位置するように構成されている。
【００２０】
前記コア材１１Ａ，１１Ｂ，１１Ｃ，１１Ｄは、ウレタンフォームなどの発泡樹脂、グラスウールあるいはケイ酸カルシウム粉末、パーライト粉末を充填したものなどの熱伝導度の低い微細多孔質材料を、前記外装体１内に収容できるように直方体形状としたものである。これらコア材１１Ａ〜１１Ｄは、後述する補強板材１４および金属箔１８とともに積み上げた状態の高さが、外装体１の高さの高さより高くなる肉厚とされている。
【００２１】
前記コア材１１Ａ〜１１Ｄそのうち、最上段に配置されるコア材１１Ａには、その下面にそれぞれ同方向に延びる複数の通気溝１２ａが設けられているとともに、その中央には前記排気部３が没入するための貫通孔１３が設けられている。また、中央に配置されるコア材１１Ｂ，１１Ｃには、その下面にコア材１１Ａと同様に通気溝１２ａが設けられるとともに、その上面に通気溝１２と直交方向に延びる複数の通気溝１２ｂが設けられている。また、最下段に配置されるコア材１１Ｄには、その上面にコア材１１Ｂ，１１Ｃと同様に通気溝１２ｂが設けられている。即ち、通気溝１２ａ，１２ｂは、肉薄の平板部材２Ａ，２Ｂおよび側板部材１０と接触しない面にのみ設け、真空排気時の排気効率の向上を図るとともに、外装体１の変形を防止している。
【００２２】
前記補強板材１４は、いずれの平板部材２Ａ，２Ｂからの伝熱の影響を受け難い中心位置である前記コア材１１Ｂ，１１Ｃの間に配設し、平板部材２Ａ，２Ｂと平行に延びるようにした平板状のものである。この補強板材１４は、ステンレスや鉄など、面との直交方向に加わる力に強く、撓みが生じない材料により形成されている。この補強板材１４は、図１に示すように、４方を囲繞する側板部材１０に接触しないように該側板部材１０の形状より小さくし、該側板部材１０を介して平板部材２Ａ，２Ｂからの熱が伝わり、熱伝導を助長することを防止できる。
【００２３】
本実施形態の補強板材１４には、図４および図５に示すように、隣接するコア材１１Ｂ，１１Ｃに差し込んで位置決めする位置決め突起１５が切り起こしにより９０度間隔で４個設けられている。また、補強板材１４には、複数の通気孔１６が設けられるとともに、該通気孔１６の縁に外方に突出する補強リブ１７が設けられている。この補強リブ１７は、補強板材１４の撓みに対する強度を向上する役割をなすとともに、隣接するコア材１１Ｂ，１１Ｃに差し込まれ、前記位置決め突起１５と同様の役割をなす。この補強リブ１７と位置決め突起１５の突出方向は逆向きとされ、いずれか一方がコア材１１Ｂに差し込まれ、他方がコア材１１Ｃに差し込まれるように構成している。
【００２４】
前記金属箔１８は、平板部材２Ａ，２Ｂに加わる高温または低温の熱が内部に配設したコア材１１Ａ〜１１Ｄを介して伝熱する輻射伝熱を防止し、断熱性能を向上するためのもので、アルミや銅を薄膜状としたものである。この金属箔１８は、平板部材２Ａとコア材１１Ａの間、コア材１１Ａ，１１Ｂの間、コア材１１Ｃ，１１Ｄの間、および、コア材１１Ｄと平板部材２Ｂの間に配設されている。本実施形態では、図３に示すように、金属箔１８を所定幅の短冊状に形成し、外装体１内の所定の配置面に、所定間隔をもって敷設している。なお、平板部材２Ａとコア材１１Ａとの間に配設する金属箔１８において、その中央に位置するものには、コア材１１Ａと同様に貫通孔１９が設けられている。
【００２５】
前記ゲッター２０は、前記外装体１内に遊離するガスを吸収するもので、予め活性化させた後、不活性ガスとともに金属製のアルミ箔２１で密閉状態に包装して形成される。このように構成したゲッター２０は、活性化されているにも関わらず、密閉状態を維持している間は、水素などのガスは吸収することを防止できる。また、本実施形態のゲッター２０は、中央部に貫通した空間を有する環状に形成されている。
【００２６】
次に、前記真空断熱パネルの製造方法について説明する。
図６に示すように、まず、設置台２２上に、四角筒状とした側板部材１０を設置する。その後、一方の枠部材８Ａを、その段部９の開放位置が下側になるように側板部材１０の上端に配置し、側板部材１０の縁が段部９内に位置するように外嵌させる。この枠部材８Ａを外嵌して位置決めする作業は、前記段部９により容易に行うことができる。
【００２７】
ついで、枠部材８Ａの内部に、外向きに張り出す方向に移動可能な押圧部材２３を配置し、枠部材８Ａの段部９に位置させる。この押圧部材２３は、その内端に外広がりに傾斜する斜面２４を備えたものである。その後、押圧部材２３の内側に、該押圧部材２３を斜面２４の傾斜に従って外向きに移動させる移動部材２５を挿入する。これにより、押圧部材２３は、枠部材８Ａの段部９に位置する側板部材１０の上端を外向きに移動させ、該側板部材１０の上端を枠部材８Ａに対して押圧して隙間の発生を防止する。
【００２８】
この状態で、枠部材８Ａと側板部材１０との組み合わせ部分を、図示しない溶接トーチによって照射し、これら枠部材８Ａと側板部材１０とを隙間なく接合する。
【００２９】
ついで、図７に示すように、接合した枠部材８Ａを下側に位置させて側板部材１０を設置台２２上に設置する。その後、前記枠部材８Ａと同様に、段部９の開放位置が下側になるように枠部材８Ｂを側板部材１０の上端に配置し、側板部材１０の縁が段部９内に位置するように外嵌させる。
【００３０】
ついで、枠部材８Ｂの段部９に押圧部材２３が位置するように配置する。その後、押圧部材２３の内側に移動部材２５を挿入し、側板部材１０の上端を枠部材８Ｂに対して押圧して隙間の発生を防止する。そして、この状態で、前記と同様に、これら枠部材８Ｂと側板部材１０とを隙間なく接合する。
【００３１】
ついで、図８に示すように、接合した枠部材８Ｂの上側に、下側に位置する平板部材２Ｂを配置する。この際、枠部材８Ｂは、撓みや変形が生じないため、簡単に平板部材２Ｂの縁と枠部材８Ｂとの縁を一致させることができる。そして、この状態で、前記と同様に、これら枠部材８Ｂと平板部材２Ｂとを接合する。
【００３２】
ついで、図９に示すように、接合した平板部材２Ｂが下側に位置するように設置台２２上に設置し、上向きに開放した状態とする。その後、前記平板部材２Ｂおよび側板部材１０により囲繞された空間に、金属箔１８、コア材１１Ｄ、金属箔１８およびコア材１１Ｃを順次収容させた後、補強板材１４を収容させる。
【００３３】
この際、本実施形態では、図示のように、位置決め突起１５がコア材１１Ｃの側に位置し、後で収容させる補強リブ１７がコア材１１Ｂの側に位置するように配置する。また、金属箔１８を介して上下方向に隣接するコア材１１Ｃ，１１Ｄは、それらに設けた通気溝１２ａ，１２ｂが互いに直交方向に位置するように配置する。
【００３４】
ついで、図１０に示すように、補強板材１４の上側に、コア材１１Ｂ、金属箔１８、コア材１１Ａおよび金属箔１８を順次収容させる。この際、上側より所定圧力を加えて位置決め突起１５をコア材１１Ｃに差し込むとともに、補強リブ１７をコア材１１Ｂに差し込む。また、これらコア材１１Ａ〜１１Ｄの収容状態では、最上段のコア材１１Ａの上端面が枠部材８Ａの上端面より上方に突出している。この状態で、コア材１１Ａにおける貫通孔１３内に、アルミ箔２１により密閉したゲッター２０を収容させる。ここで、ゲッター２０は、その中央の空間と台座部材６の軸心とが一致するように配置する。なお、この状態では、補強リブ１７は必ずしもコア材１１Ｂに差し込む必要はない。
【００３５】
内部に全ての収容部材を収容させると、ついで、図１１に示すように、上方に突出したコア材１１Ａ上の金属箔１８の上面に平板部材２Ａを配置する。その後、平板部材２Ａの上面に圧縮治具２６を配置するとともに、側板部材１０の外面に該側板部材１０の変形を防止するための規制治具２６ａを配置する。そして、図１２に示すように、前記平板部材２Ａを介してコア材１１Ａ〜１１Ｄを圧縮し、平板部材２Ａの下面を枠部材８Ａの上端面に当接させる。この状態で、前記と同様に、これら枠部材８Ａと平板部材２Ａとを接合する。
【００３６】
このように、本発明の真空断熱パネルでは、撓みや変形が生じない肉厚の枠部材８Ａ，８Ｂを設け、該枠部材８Ａ，８Ｂに対して側板部材１０を接合するため、各板部材２Ａ，２Ｂ，１０を位置決めする際には、枠部材８Ａ，８Ｂに対して押圧しても撓みが生じることはない。そのため、大型の真空断熱パネルを製造する場合でも、周知の位置決め用治具を用い、高精度な位置決めが可能になる。その結果、製造コストが高くなることを防止できる。
【００３７】
なお、組立状態のパネルは、前記コア材１１Ａ〜１１Ｄの圧縮により、これらコア材１１Ａ〜１１Ｄが外装体１を構成する平板部材２Ａ，２Ｂおよび側板部材１０の内面に密着する。しかし、中心に配置した補強板材１４は、側板部材１０より小さく形成しているとともに、位置決め突起１５および補強リブ１７がコア材１１Ｂ，１１Ｃに差し込んでいるため、確実に側板部材１０との非接触状態を維持できる。
【００３８】
次に、接合した外装体１内の真空排気について説明する。
まず、図１３に示すように、組み立てたパネルを７０℃で所定時間加熱しつつ、平板部材２Ａに接合したチップ管５を通して、真空にすべき外装体１の内部空間から空気を排出して減圧しつつ、外装体１から放出された水素（Ｈ）、一酸化炭素（ＣＯ）および水（Ｈ２Ｏ）を放出する。
【００３９】
この際、本実施形態では、組立状態のパネルは、コア材１１Ａ〜１１Ｄが外装体１の内面に密着しているが、これらコア材１１Ａ〜１１Ｄに通気溝１２ａ，１２ｂを設け、また、補強板材１４に通気孔１６を設け、さらに、短冊状とした金属箔１８を所定間隔をもって敷設しているため、これらの隙間により真空効率を向上でき、真空排気時間を大幅に短縮することができる。具体的には、コア材１１Ａ〜１１Ｄに通気溝１２ａ，１２ｂを設けていないものと設けたものとでは、その排気時間を半分以下に短縮することができる。
【００４０】
外装体１内が所定の真空度に達すると、図１４に示すように、チップ管５を封止する。
【００４１】
ついで、排気部３における平坦な上端面を下向きに押圧することにより、図１５に示すように、排気部３を外装体１の内部に没入させる。
【００４２】
この際、本実施形態では、チップ管５を接合した台座部材６に破断部７を設けているとともに、ゲッター２０の貫通した空間が台座部材６の軸心と一致するように配置しているため、この破断部７により、ゲッター２０を収容したアルミ箔２１が突き破られる。これにより、ゲッター２０は、金属材料から放出され、遊離した水素などのガスを吸収可能な状態になる。その結果、封止後に外装体１内に残留して遊離している水素、一酸化炭素および水は、ゲッター２０に吸収され、外装体１の内部空間が真空に維持される。
【００４３】
このように、本実施形態では、予め活性化させたゲッター２０を使用し、真空状態に排気した後にガスを吸収可能な状態とするため、ゲッター２０を活性化させるための加熱時間を削減することができる。そのため、加熱・排気時間の短縮を図ることができる。また、ゲッター２０は、アルミ箔２１が破られるまで大気中に放置されるのではなく、アルミ箔２１により密閉されているため、ゲッター２０を機能的に使用可能な期間（寿命）を長期化することができる。
【００４４】
前記のようにして製造した真空断熱パネルは、従来と同様に、平板部材２Ａ，２Ｂに直接的に加わる熱により、これら平板部材２Ａ，２Ｂの延びが相違する。そして、その延びの相違は、断熱する内外の温度差が大きいほど大きくなる。しかし、本実施形態では、その温度差が最も平衡し熱による伸縮が最も生じ難いコア材１１Ａ〜１１Ｄの中心に撓みに強靱な補強板材１４を設けているため、真空断熱パネル自体が反り返るという不都合を防止できる。
【００４５】
なお、本発明の真空断熱パネルは、前記実施形態の構成に限定されるものではない。
例えば、前記実施形態では、排気部３を平板部材２Ａに設けたが、平板部材２Ｂまたは側板部材１０に設けてもよい。また、前記実施形態では、真空排気後に内部に没入する排気部３を設けたが、単に平板部材２Ａにチップ管５を接合した構成としてもよい。この場合、平板部材２Ｂおよび側板部材１０だけでなく、枠部材８Ａ，８Ｂに形成することもできる。
【００４６】
また、前記実施形態では、外装体１を平面視で正方形状に形成したが、正六角形状、正三角形状、円形状など、その形状は希望に応じて種々の変形が可能である。
【００４７】
また、前記実施形態では、金属箔１８は、補強板材１４を配設したコア材１１Ｂ，１１Ｃ間を除く全ての部材境界位置に配設したが、両端のコア材１１Ａ，１１Ｄと平板部材２Ａ，２Ｂとの間にのみ配設してもよい。
【００４８】
また、前記実施形態では、コア材１１Ａ〜１１Ｄを平板部材２Ａ，２Ｂの方向に４個に分割して形成したが、内部中央に補強板材１４をインサート成型した状態で１個のみの単体で構成してもよい。しかし、コア材の製造作業性および製造コストの面を考慮すると、少なくとも２個に分割して形成することが好ましい。
【００４９】
また、本発明では、外装体１を構成する平板部材２Ａ，２Ｂおよび側板部材１０を枠部材８Ａ，８Ｂを介して接合する構成としているため、前記枠部材８Ａ，８Ｂに固定する対象物品である低温の液化などを搬送するためのタンクや冷凍庫などに固定するためのブラケットを設けてもよい。
【００５０】
具体的には、図１６に示すように、枠部材８Ａ，８Ｂは断面略Ｌ字形状に形成し、その一端から略Ｌ字形状に突出するブラケット部２７Ａ，２７Ｂを形成する。そして、外側に位置するブラケット部２７Ａには、ボルト３０および該ボルト３０を締め付ける工具を挿通可能な半円形状の挿通孔２８を形成する。一方、固定対象物品３１と近接するブラケット部２７Ｂには、ボルト３０の軸部を挿通可能な半円形状の貫通孔２９を形成する。そして、隣接させて配置する真空断熱パネルのブラケット部２７Ａ，２７Ｂの縁を突き合わせるように配置し、ボルト３０を固定対象物品３１に形成した締付部３２に締め付けることにより、複数の真空断熱パネルを固定できるように構成する。このように、枠部材８Ａ，８Ｂの形状および構造は、種々の変形が可能である。
【００５１】
【発明の効果】
以上の説明から明らかなように、本発明の真空断熱パネルでは、最も温度差が平衡し熱による伸縮が最も生じ難いコア材の中心に、平板部材と平行に延びる補強板材を設けているため、熱が直接的に加わる一対の平板部材に延びの差が生じても、真空断熱パネル自体が反り返ることを防止できる。
【００５２】
また、補強板材は、その外形を側板部材の外形より小さく形成するとともに、該補強板材に前記コア材に差し込んで位置決めする位置決め突起を設けているため、確実に側板部材との非接触状態を維持し、側板部材を介して補強板材に熱が伝わり、該補強板材自体に延びが生じることを防止できる。また、前記コア材の表面に通気溝を設けるとともに、前記補強板材に通気孔を設けているため、真空排気時に要する時間を短縮できる。また、前記通気孔の縁には補強リブを突設しているため、補強板材の撓みを確実に防止できる。
【図面の簡単な説明】
【図１】  本発明の真空断熱パネルを示す断面図である。
【図２】  図１の要部拡大断面図である。
【図３】  図１の分解斜視図である。
【図４】  補強板材を示す斜視図である。
【図５】  図４の要部拡大断面図である。
【図６】  組立作業の第１工程を示す断面図である。
【図７】  組立作業の第２工程を示す断面図である。
【図８】  組立作業の第３工程を示す断面図である。
【図９】  組立作業の第４工程を示す断面図である。
【図１０】  組立作業の第５工程を示す断面図である。
【図１１】  組立作業の第６工程を示す断面図である。
【図１２】  組立作業の第７工程を示す断面図である。
【図１３】  真空排気作業の第１工程を示す断面図である。
【図１４】  真空排気作業の第２工程を示す断面図である。
【図１５】  真空排気作業の第３工程を示す断面図である。
【図１６】  真空断熱パネルの変形例を示す断面図である。
【符号の説明】
１…外装体、２Ａ，２Ｂ…平板部材、５…チップ管、７…破断部、８Ａ，８Ｂ…枠部材、１０…側板部材、１１Ａ〜１１Ｄ…コア材、１２ａ，１２ｂ…通気溝、１４…補強板材、１５…位置決め突起、１６…通気孔、１７…補強リブ、１８…金属箔、２０…ゲッター、２１…アルミ箔。
【図１】
0004216516.tif 000002
【図２】
0004216516.tif 000003
【図３】
0004216516.tif 000004
【図４】
0004216516.tif 000005
【図５】
0004216516.tif 000006
【図６】
0004216516.tif 000007
【図７】
0004216516.tif 000008
【図８】
0004216516.tif 000009
【図９】
0004216516.tif 000010
【図１０】
0004216516.tif 000011
【図１１】
0004216516.tif 000012
【図１２】
0004216516.tif 000013
【図１３】
0004216516.tif 000014
【図１４】
0004216516.tif 000015
【図１５】
0004216516.tif 000016
【図１６】
0004216516.tif 000017